(57)【要約】【課題】本発明は、生産性の向上、及び省エネルギーの両者に対して合理的な新聞印刷工場を提供する。【解決手段】積層配置された複数のフロアを有する新聞印刷工場１には、シャフト２と、建築設備室５が備えられている。シャフト２は、新聞印刷工場１を鉛直方向に貫通するように立設されており、フロアの略中央部に配置されている。シャフト２の内部は空洞に成形され、少なくとも給排水や排気ダクト等の設備配管３、配電用の配線４等が収納されている。建築設備室５は、その機能ごとで複数のフロアに分散し、かつシャフト２に隣接して鉛直方向に集約配置されている。これにより、各フロアの何れの位置にも効率よく、合理的なエネルギー供給が可能となり、省エネルギー化、及び省メンテナンス化を容易に図ることができるものである。【選択図】  図１
2004360293.tif 000002
【特許請求の範囲】
【請求項１】
積層された複数のフロアを有し、内部に新聞印刷設備を備える新聞印刷工場であって、
所定のフロアには、印刷管理室が、中央部近傍に配置されるとともに、
該印刷管理室を取り囲むように、新聞印刷の工程に応じた作業を実施する複数の作業室が、工程順に連続配置されることを特徴とする新聞印刷工場。
【請求項２】
請求項１に記載の新聞印刷工場において、
フロアの中央部近傍で前記印刷管理室と隣接する位置には、鉛直状に配されてすべてのフロアを貫通し、内方に少なくとも設備配管、ダクト及び配線を収納するシャフトが配置されるとともに、
該シャフトに隣接して、前記設備配管及び配線に連結する建築設備機器を収納する建築設備室が配置されており、
前記建築設備室が、収納する建築設備機器の機能に応じて複数のフロアに分散して、鉛直方向に集約配置されることを特徴とする新聞印刷工場。
【発明の詳細な説明】
【０００１】
【発明の属する技術分野】
本発明は、省エネルギー及び生産性向上に合理的な新聞印刷工場に関する。
【０００２】
【従来の技術】
従来より、工場等の新聞印刷工場において、内部に収納される印刷機器は、生産ラインを優先する配置計画に従って設置されており、空調等の設備計画もこの配置計画に則って計画がなされている。しかし、将来的な印刷機器の増設や更新に伴い、設備計画を適宜変更する必要が生じる。
そこで、例えば、特許文献１に示すように、構造物の内方に設備配管や配線を収納した壁状体を設置し、該壁状体の壁面に接するように作業室を配置することにより、作業室空間の任意の位置でエネルギー供給や空調吹き出しを行う構成が考案されている。
【０００３】
【特許文献１】
特開２００２−４６１４号公報（ｐ３，図１参照）
【０００４】
【発明が解決しようとする課題】
しかし、構造物の内方に壁状体を設ける構成は、フロアを鉛直方向に分断することとなるため、あるフロア内で、印刷設備変更に伴う建築設備更新、生産の更なる効率化等への自由度が建築計画により制約されることが想定され、必ずしも合理的とは言えない。
【０００５】
上記事情に鑑み、本発明は、生産性の向上、及び省エネルギーの両者に対して合理的な新聞印刷工場を提供することを特徴としている。
【０００６】
【課題を解決するための手段】
請求項１記載の新聞印刷工場は、積層された複数のフロアを有し、内部に新聞印刷設備を備える新聞印刷工場であって、所定のフロアには、印刷管理室が、中央部近傍に配置されるとともに、該印刷管理室を取り囲むように、新聞印刷の工程に応じた作業を実施する複数の作業室が、工程順に連続配置されることを特徴としている。
【０００７】
請求項２記載の新聞印刷工場は、フロアの中央部近傍で前記印刷管理室と隣接する位置には、鉛直状に配されてすべてのフロアを貫通し、内方に少なくとも設備配管及び配線を収納するシャフトが配置されるとともに、該シャフトに隣接して、前記設備配管、ダクト及び配線に連結する建築設備機器を収納する建築設備室が配置されており、前記建築設備室が、収納する建築設備機器の機能に応じて複数のフロアに分散して、鉛直方向に集約配置されることを特徴としている。
【０００８】
【発明の実施の形態】
以下、本発明に係る新聞印刷工場を、図１から図５を用いて詳述する。本発明の新聞印刷工場は、新聞の印刷工程を管理する印刷管理室を、所定フロアの中央部に配置するとともに、該印刷管理室を取り囲むように新聞印刷の工程に応じた作業を実施する複数の作業室を、工程順に連接配置することにより、生産性の向上や、生産管理の効率化を図るものである。
【０００９】
図１に示すように、積層配置された複数のフロアを有する新聞印刷工場１は、新聞印刷設備が備えられた構造物であり、２階に新聞の印刷工程に応じた作業を実施するための作業室１２、及び新聞の印刷工程を管理する印刷管理室１１、１階に巻取仕立１９や荷捌き場１５等の新聞印刷に係る作業を補助するための複数の居室が配置されている。なお、図２には本実施の形態における新聞印刷工場１の１階の平面図、図３には本実施の形態における新聞印刷工場１の２階の平面図を示している。
【００１０】
図２に示すように１階には、新聞印刷工場１におけるｙ方向の一辺ｙ１側に印刷物輸送用の荷捌き場１５、これと向かい合うｙ方向の他辺ｙ２側に巻取紙等を保管する立体紙庫１４、ｘ方向の一辺ｘ１側に給紙室１８が配置されている。また、新聞印刷工場１におけるｘ方向の一辺ｘ１側の外壁には、備品倉庫１３ａやエレベータ１３ｂ等を備えたバックヤード１３が、前記給紙室１８に隣接するように配置されている。該バックヤード１３は、図３の同位置にも配置されており、少なくとも１階及び２階の両者に連通した施設である。なお、本実施の形態において、バックヤード１３、立体紙庫１４、荷捌き場１５、及び給紙室１８は、生産活動を補助する複数の居室の一部である。
【００１１】
また、図３に示すように２階には、前記印刷管理室１１がフロアの略中央部に配置されており、該印刷管理室１１を取り囲むようにして、新聞印刷工場１におけるｙ方向の他辺ｙ２側に製版室１２ａ、ｘ方向の一辺ｘ１側に印刷室１２ｂ、ｙ方向の一辺ｙ１側に発送・梱包室１２ｃの、作業工程に応じた作業を実施する複数の作業室１２が隣り合って配置されている。これらは製版→印刷→発送梱包といった新聞の印刷工程の順に、印刷管理室１１を中心にしてｙ２→ｘ１→ｙ１といった反時計回りに連接配置されている。なお、各作業室１２は、必ずしも印刷管理室１１を中心として、印刷工程の順を反時計回りに配置する必要はなく、時計回りに配置しても良い。
【００１２】
これら印刷管理室１１をフロアの略中央部に配置する新聞印刷工場１の配置計画は、同じフロアで該印刷管理室１１を取り囲むように作業室１２を配置することにより、印刷管理室１１に居ながら全作業室１２を視覚管理することを可能にするものであり、各作業室１２への管理動線を短縮化することができるものである。
【００１３】
このように、ある所定のフロアに印刷管理室１１及び作業室１２を配置した新聞印刷工場１における新聞印刷の流れを、印刷工程の順が反時計回りとなるように各作業室１２を配置した場合を例に取り、図２及び図３に示した生産動線Ａに従って詳述する。
まず、図３に示すように、２階ｙ方向の他辺ｙ２側に位置する製版室１２ａでの製版作業の後、反時計回りに隣接するｘ方向の一辺ｘ１側に位置する印刷室１２ｂで印刷作業を実施する。このとき、印刷室１２ｂへの給紙は、１階の給紙室１８から２階の印刷機に行われる。なお、給紙室１２ｄへ給紙は、隣接する立体紙庫１４から行われている。
【００１４】
また、前記印刷室１２ｂでの印刷作業が終了すると、図３に示すように、印刷室１２ｂと反時計回りに隣接する２階ｙ方向の一辺ｙ１側に位置する発送・梱包室１２ｃで印刷物が梱包され、搬送設備１６を介して、図２に示すように、直下の１階ｙ方向の一辺ｙ１側に位置する印刷物輸送用の荷捌き場１５に搬送され、印刷物が出荷される。
【００１５】
これら印刷管理室１１を中心にしてこれを取り囲むように、印刷工程の順序に従って複数の作業室１２を連接配置する配置計画は、必然的に生産動線Ａが効率よく連続することとなるため、生産性の向上及び省人化を図ることができるものである。
【００１６】
ところで、このように所定のフロアに印刷管理室１１及び印刷工程に応じた作業を実施するための作業室１２を集約するとともに、印刷管理室１１をフロアの略中央部に配置し、これを取り囲むように複数の作業室１２を配置した新聞印刷工場１には、図１に示すように、シャフト２と、建築設備室５が備えられている。該シャフト２は、新聞印刷工場１を鉛直方向に貫通するように立設されており、図３に示すように、フロアの略中央部で印刷管理室１１と隣接するように配置されている。該シャフト２の内部は空洞に成形されており、図１に示すように、少なくとも給排水や給排気ダクト等の設備配管３、配電用の配線４等が収納されている。
【００１７】
また、前記建築設備室５は、空調、電気、給排水、ガス等のいわゆる建築設備に係る建設設備機器を収納する居室であり、本実施の形態では少なくとも、図４に示すように、空調機械室８や熱源機械室６、電気室７を備えている。これらは、収納されている建設設備機器の機能に応じて、複数のフロアに分散して配置されており、例えば、空調及び熱源機械室６が１階、電気室７及び空調機械室８が３階に配置されている。これらは何れも、前記シャフト２に隣接して配置されており、図１に示すように、新聞印刷工場１の中央部で建築設備室５が鉛直方向に集約配置された構成となっている。
【００１８】
このように、建築設備機器を備えた建築設備室５をシャフト２を中心とした鉛直方向に集約配置する設備計画は、図４に示すように、例えば、空調設備を考慮すると、シャフト２に熱源供給配管１０を備えておくことにより、１階に位置する熱源機械室６と３階に位置する空調機械室８とを、シャフト２を介して直結することができるため、熱源供給等のエネルギー搬送のミニマム化を図ることができ、ランニングコストを低減できるものである。
また、電気設備を考慮すると、シャフト２に配線４を備えておくことにより、３階に位置する前記電気室７から各フロアへの配電を、シャフト２で集約できるため、合理的な配電計画を実施することができるものである。
さらに、建築設備室５に備えられている建設設備機器や、シャフト２に収納した設備配管３、配線４、熱源供給配管１０等に関するメンテナンスや非常時の対応も容易となり、省力化をも図ることができる。
【００１９】
また、該建築設備室５及びシャフト２を、フロアの略中央部に配置する設備計画は、図１に示すように、各空調機械室８より延伸される空調ダクト９やシャフト２より延伸される配線４及び設備配管３を、各フロアの所望の位置に効率よく配置することができ、フロアを横断するような無駄な供給経路をたどるエネルギー動線を形成する必要がないことから、合理的なエネルギー供給や配電が可能となり、省エネルギー化、及び省メンテナンス化を容易に図ることができるものである。
【００２０】
このように、該新聞印刷工場１は、各フロアの何れの位置に対しても合理的なエネルギー供給や、配電を実施することができるため、前記印刷管理室１１を中央に配置して、これを取り囲むように生産工程の順に連続配置される作業室１２の配置計画は、設備計画に対して何ら制約を受けることなく自在に変更することができるものである。
【００２１】
さらに、前記シャフト２は、フロアを鉛直に分断するものではなく、また、建築設備室５についても、新聞印刷工場１の中央部近傍に集中配置されているものの、機能ごとで各フロアに分散配置されており、印刷管理室１１及び印刷工程に応じた作業を実施するための作業室１２を集約したフロアを抵触することはない。したがって、例えば、図５に示すように、輪転機１７の数量に応じて印刷室１２ｂの専有面積を施設構想段階で自在に変化させる等、何れのフロアにおいても、建築計画に左右されることなく、印刷管理室１１や作業室１２、生産活動を補助する様々な居室を自在に配置変換することができるものである。
【００２２】
【発明の効果】
請求項１記載の新聞印刷工場によれば、積層された複数のフロアを有し、内部に新聞印刷設備を備える新聞印刷工場であって、所定のフロアには、印刷管理室が、中央部近傍に配置されるとともに、該印刷管理室を取り囲むように、新聞印刷の工程に応じた作業を実施する複数の作業室が、工程順に連続配置されることから、生産動線が効率よく連続することとなるため、生産性の向上及び省人化を図ることが可能となる。
また、印刷管理室に居ながら全作業室を視覚管理できるとともに、各作業室への管理動線を短縮化できるため、生産管理の効率化、及び将来的には運用の省人化を図ることが可能となる。
【００２３】
請求項２記載の新聞印刷工場によれば、フロアの中央部近傍で前記印刷管理室と隣接する位置には、鉛直状に配されてすべてのフロアを貫通し、内方に少なくとも設備配管、ダクト及び配線を収納するシャフトが配置されるとともに、該シャフトに隣接して、前記設備配管及び配線に連結する建築設備機器を収納する建築設備室が配置されており、前記建築設備室が、収納する建築設備機器の機能に応じて複数のフロアに分散して、鉛直方向に集約配置される。
【００２４】
これにより、新聞印刷工場内に合理的なエネルギー動線を形成することができるため、効率の良いエネルギー供給が可能となり、省エネルギー化、及び省メンテナンス化を容易に図ることが可能となる。
また、建築設備室に収納した建築設備機器や、シャフトに収納した設備配管や配線等に関するメンテナンスや非常時の対応も容易となり、省力化をも図ることが可能となる。
【００２５】
さらに、各フロアの何れの位置に対しても合理的なエネルギー供給、配電を実施できるとともに、シャフトは、フロアを鉛直に分断するものではなく、また、建築設備についても、新聞印刷工場の中央部近傍に集中配置されているものの、機能ごとで各フロアに分散配置されており、印刷管理室及び印刷工程に応じた作業を実施するための作業室を集約したフロアを抵触することはないため、新聞印刷設備に係る配置計画を、建築計画や設備計画等から何ら制約を受けることなく自在に変更することが可能となる。
【図面の簡単な説明】
【図１】本発明に係る新聞印刷工場の鉛直断面を示す図である。
【図２】本発明に係る新聞印刷工場の平面（１階）を示す図である。
【図３】本発明に係る新聞印刷工場の平面（２階）を示す図である。
【図４】本発明に係る新聞印刷工場のシャフト及びエネルギー供給施設の配置状況を示す図である。
【図５】本発明に係る新聞印刷工場の配置変更パターンを示す図である。
【符号の説明】
１  新聞印刷工場
２  シャフト
３  設備配管
４  配線
５  建築設備室
６  熱源機械室
７  電気室
８  空調機械室
９  空調ダクト
１０  熱源供給配管
１１  印刷管理室
１２  作業室
１３  バックヤード
１４  立体紙庫
１５  荷捌き場
１６  搬送設備
１７  輪転機
１８  給紙室
１９  巻取仕立
【図１】
2004360293.tif 000003
【図２】
2004360293.tif 000004
【図３】
2004360293.tif 000005
【図４】
2004360293.tif 000006
【図５】
2004360293.tif 000007